(57)【特許請求の範囲】
【請求項１】
引き戸の戸先側端部が当接する柱側の出入り口側端面と所定間隔を有する係止突片を室内外側端部に有して、柱側の出入り口端面に取付られる係止部材と、引き戸の戸先側端面が当接する戸当り受部材よりなり、戸当り受部材は、引き戸の戸先側端面が当接する軟質合成樹脂材からなる表面部と、表面部の柱側に位置し、前記係止部材の係止突片に出入り口側から係止する係止突部を有する硬質合成樹脂材よりなる取付部が一体に形成され、表面部は、取付部の室内外側に位置する室内外側表面部を有し、室内外側表面部の柱側端部には、前記取付部の柱側端部（係止突部）より柱側に突出し、戸当り受部材が取付られた状態で、柱側の出入り口側端面に密着する弾性舌片が形成されている事を特徴とする戸当り装置。
【発明の詳細な説明】
【０００１】
【発明の属する技術分野】
本発明は、部屋の出入り口に構成される引き戸の戸先側端面が、引き戸の閉鎖時に当接する柱側に取付られる戸当り受部材取付装置に関するものである。
【０００２】
【従来の技術】
従来、上記戸当り受部材取付装置は、図２に示すように、横断面コ字形の柱基枠１０と、柱補強材１０の室内外側の端部に、出入り口側１１に突出して形成された柱表面材１２、１２と、柱表面材１２、１２と柱基枠間に設けられた間隔保持材１３、１３よりなる柱１４の、出入り口側１１の室内外方向中央部に、上下端部が開口する戸当り受部材１５の嵌合溝１６形成する一方、表面部１７と、表面部１７の柱側に形成された嵌合脚１８、１８より戸当り受部材１５を構成し、前記嵌合溝１６の上端より、嵌合脚１８、１８を嵌合溝１６に嵌合しながら下方にスライドさせて、柱１４の出入り口側１１に戸当り受部材１５を取りつけていた。
そして、戸当り受部材１５を取りつけた柱１４等を壁面の開口部に立設し出入り口を構成していた。
【０００３】
このため、ベッド、ストレチャ等がの出入りの際、戸当り受部材に衝突して、戸当り受部材が損傷すると、柱の上下方向に戸当り受部材を取り外すスライドスペースがないので、戸当り受部材を交換するには、引き戸を分解し、柱自体を取り外さなければならず、この作業が非常に煩雑で時間がかかるという問題があった。
さらに、柱自体も中央部に嵌合溝を構成する必要から、その構造が複雑となり高価になる欠点があった。
【０００４】
【発明が解決しようとする課題】
本発明は、戸当り受部材の柱側への取付を出入り口側から行えるようにし、柱が立設された状態であっても、戸当り受部材の柱側との着脱を容易とし、しかも、柱側の構造を簡単とする事で、柱のコストダウンを計る事ができる戸当り受部材取付装置を提供する事を課題とする。
【０００５】
【課題を解決する為の手段】
そこで、本発明が前記課題を解決するための第１の手段として構成したところは、引き戸の戸先側端部が当接する柱側の出入り口側端面と所定間隔を有する係止突片を室内外側端部に有して、柱側の出入り口側端面に取付られる係止部材と、引き戸の戸先側端面が当接する戸当り受部材よりなり、戸当り受部材は、引き戸の戸先側端面が当接する軟質合成樹脂材からなる表面部と、表面部の柱側に位置し、前記係止部材の係止突片に出入り口側から係止する係止突部を有する硬質合成樹脂材よりなる取付部が一体に形成され、表面部は、取付部の室内外側に位置する室内外側表面部を有し、室内外側表面部の柱側端部には、前記取付部の柱側端部（係止突部）より柱側に突出し、戸当り受部材が取付られた状態で柱側の出入り口側端面に密着する弾性舌片が形成されているものである。
【０００７】
【発明の実施の形態】
本発明は、引き戸の戸先側端部が当接する柱側の出入り口側端面と所定間隔を有する係止突片を室内外側端部に有して、柱側の出入り口側端面に取付られる係止部材と、引き戸の戸先側端面が当接する戸当り受部材よりなり、戸当り受部材は、引き戸の戸先側端面が当接する軟質合成樹脂材からなる表面部と、表面部の柱側に位置し、前記係止部材の係止突片に出入り口側より係止する係止突部を有する硬質合成樹脂材よりなる取付部が一体に形成されてなり、前記戸当り受部材の表面部は、取付部の室内外側に位置する室内外側表面部を有し、室内外側表面部の柱側端部には、前記取付部の柱側端部より柱側に突出し、戸当り受部材が取付られた状態で柱側の出入り口側端面に密着する弾性舌片が形成されているものである。
【０００８】
【実施例】
以下、添付図面に基づいて本発明の実施例を詳述する。
図１において、符号２は柱を示し、符号３は戸当り受部材、符号４は係止部材を示している。
柱２は横断面コ字形の基枠２１と、基枠２１の出入り口側２０と反対側の上下方向に所定間隔を有して設けられた複数個の補強連結材２２・・・より構成されている。
【０００９】
係止部材４は、柱２の出入り口側２０に上下方向所定位置で数箇所ネジ止めされる基板４１と、基板４１の室内外側２０１、２０２の端部を、出入り口側２０にＬ字形に折り曲げて、柱２の基枠２１の出入り口側２０の端面と所定間隔を有する係止突片４２、４２より構成されている。
【００１０】
戸当り受部材３は  引き戸の戸先側端面に取付られた戸当り部材（図２に符号５として示す。）が当接する軟質合成樹脂材からなる表面部３１と、表面部３１の柱２側内面に位置し、前記係止部材４の係止突片４２、４２に出入り口側２０より係止する係止突部３２、３２を有する硬質合成樹脂材よりなる取付部３３が一体に形成されてなり、前記戸当り受部材３の表面部３１は、取付部３３の室内外側２０１、２０２に位置する室内外側表面部３１１、３１２を有し、室内外側表面部３１１、３１２の柱２側端部には、前記取付部３３の柱３側端部（係止突部３２、３２）より柱２側に突出し、戸当り受部材３が取付られた状態で柱２側の出入り口側２０の端面に密着する弾性舌片３４、３４が形成されている。
【００１１】
本発明は上記の如く構成され、柱２の出入り口側２０の端面に係止部材４をネジ止めたのち、出入り口側２０より、戸当り受部材３の室内外側２０１、２０２の何れか一方の係止突部３２を係止突片４２に係止した後、他方の係止突部３２を出入り口側２０より、他方の係止突片４２に当接維持せしめ、ハンマー等で、表面部３１の隅部を打撃し、係止突部３２と係止突片４２を係止せしめる。
【００１２】
この状態で、弾性舌片３４、３４は柱２の出入り口側端面に弾性的に密着し、戸当り受部材３を出入り口側２０に押しやるので、係止突部３２、３２と係止突片４２、４２は密接に係止し、係止部４と戸当り受部材３はガタ付くことがなく取付られる。
一方、柱２に取付られた戸当り受部材３が損傷した時には、戸当り受部材３の室内外側２０１、２０２方向の中央部をナイフ等で切り裂いて、戸当り受部材３を取り外し、新しい戸当り受部材３を前記の方法にて取りつける。
【００１３】
尚、実施例では、戸当り受部材３を柱２に係止部材４を介して直接取りつける構成であるが、引き戸の戸先側に、小扉あるいは設備構成パネル等を有し、これに引き戸の戸先側端面が当接して出入り口を閉鎖する構成のものでは、当然、小扉あるいは設備構成パネル等の出入り口側に係止部材と戸当り受部材部材が取付られる事は云うまでもない。
【００１４】
【発明の効果】
請求項１に記載の発明によれば、柱側の出入り口端面に係止部材を取付け、係止部材に柱側の出入り口側端面と所定間隔を有する係止突片もうける一方、戸当り受部材の取付部と、取付部に前記係止突片に戸先側より係止する係止突部を硬質合成樹脂材より一体に形成しているので、係止部材に戸当り受部材が一旦取付られると、容易にはずれることがなく、しかも戸当り受部材の取付作業は、出入り口側より行えるので、作業が容易で短時間で行うことができる。
さらに、前記戸当り受部材の表面部は、取付部の室内外側に位置する室内外側表面部を有し、室内外側表面部の柱側端部（係止突部）には、前記取付部の柱側端部より柱側に突出し、柱側の出入り口側端面に取付状態で密着する弾性舌片が形成されているので、戸当り受部材の取付状態で、弾性舌片は柱の出入り口側端面に弾性的に密着し、戸当り受部材を出入り口側に押しやるので、係止突部と係止突片は密接に係止し、係止部材と戸当り受部材がガタ付くことがない。
【図面の簡単な説明】
【図１】    本発明の横断面拡大図
【図２】    従来例の横断面図
【符号の説明】
２                柱
２０              出入り口側
２０１、２０２    室内外側
３                戸当り受部材
３１              表面部
３１２、３１１    室内外側表面部
３２、３２        係止突部
３３              取付部
３４、３４        弾性舌片
４                係止部材
４２、４２        係止突片
【図１】
0003660508.tif 000002
【図２】
0003660508.tif 000003